(57)【要約】【課題】香料の無駄な揮散を抑制し、必要なときに強い香りを出すこと。【解決手段】芳香装置１０であって、容器１１を回転部に設け、容器１１に収容してある香料の定常液面より上位に香料含浸部材１２を配置し、香料含浸部材１２の一部を容器１１外の通気領域Ａに臨ませ、回転部の回転により回転する容器１１の内部における香料の液面の変動により、該香料を香料含浸部材１２に含浸させて容器１１外に揮散可能にするもの。【選択図】  図３
2004230077.tif 000002
【特許請求の範囲】
【請求項１】
容器を回転部に設け、容器に収容してある香料の定常液面より上位に香料含浸部材を配置し、香料含浸部材の一部を容器外の通気領域に臨ませ、回転部の回転により回転する容器の内部における香料の液面の変動により、該香料を香料含浸部材に含浸させて容器外に揮散可能にする芳香装置。
【請求項２】
前記容器の内壁に香料掻き上げ部を備える請求項１に記載の芳香装置。
【請求項３】
前記容器をトイレットペーパーの紙管からなる回転部に挿填してなり、該容器が筒体状をなし、筒体の回転中心部に香料含浸部材を配置してなる請求項１又は２に記載の芳香装置。
【請求項４】
前記容器を電動モータの回転軸に設けた回転部に取着してなり、該容器がカップ状をなし、カップの蓋に香料含浸部材を設けてなる請求項１又は２に記載の芳香装置。
【発明の詳細な説明】
【０００１】
【発明の属する技術分野】
本発明は芳香装置に関する。
【０００２】
【従来の技術】
特許文献１に記載の如く、トイレットペーパー用紙管の内側中空円筒の外面と外側中空円筒の内面との間に香料を介在させ、外側中空円筒又は内側中空円筒に穿孔した芳香装置がある。
【０００３】
【特許文献１】
特開２０００−９３３４４（［０００７］、図２）
【０００４】
【発明が解決しようとする課題】
特許文献１の芳香装置では、紙管内の香料は経時的に常に孔から揮散し続け、その揮散量は使用経過とともに低下する。従って、使用当初は強い香りを出し続け、その後次第に弱くなる。即ち、香料の揮散を必要としないときに無駄に揮散し、必要とするときに強い香りを出せない。
【０００５】
本発明の課題は、香料の無駄な揮散を抑制し、必要なときに強い香りを出すことにある。
【０００６】
【課題を解決するための手段】
請求項１の発明は、容器を回転部に設け、容器に収容してある香料の定常液面より上位に香料含浸部材を配置し、香料含浸部材の一部を容器外の通気領域に臨ませ、回転部の回転により回転する容器の内部における香料の液面の変動により、該香料を香料含浸部材に含浸させて容器外に揮散可能にする芳香装置である。
【０００７】
【発明の実施の形態】
（第１実施形態）（図１〜図６）
芳香装置１０は、図１に示す如く、トイレットペーパーホルダ２０に組込まれる。トイレットペーパーホルダ２０は、巻取りロール状トイレットペーパー２１の紙管２２を着脱可能に支持する左右のアーム２３を備えるとともに、カバー２４を備える。
【０００８】
芳香装置１０は、図２に示す如く、トイレットペーパー２１の紙管２２からなる回転部２５に遊びをもって（遊びはなくても可）挿填される容器１１を有する。容器１１は、図３に示す如く、一端閉塞状の筒体状をなし、筒体の回転中心軸上に香料含浸部材１２を配置し、筒体の中心軸を紙管２２の中心軸に沿わせるように横置き配置される。
【０００９】
香料含浸部材１２はフェルト芯、不織布芯等の棒状体からなり、一端を容器１１の一端閉塞部に設けた凹部１１Ａに嵌合し、他端を容器１１の開口部１１Ｂに貫通する。香料含浸部材１２は、容器１１の内部では、容器１１に収容してある液状（ゲル状でも可）香料Ｌの水平定常液面より上位に配置される。香料含浸部材１２は、容器１１の開口部１１Ｂから突出する部分を容器１１の外部の通気領域、換言すれば紙管２２の中空部からトイレ室に連なる通気領域Ａに臨ませている。
【００１０】
容器１１は中心軸に直交する断面を星形（図４）とし、星形の頂点が形成する凸状の香料掻き上げ部１３を内壁の周方向複数位置に備える。
【００１１】
容器１１は中心軸に直交する断面を円形とし、その円形内壁の周方向複数位置に凸状リブからなる香料掻き上げ部１４を備えるものとしても良い（図５）。
【００１２】
容器１１は香料含浸部材１２が突出する開口部１１Ｂの外周に羽根付キャップ１５を取着されて備える。キャップ１５は香料含浸部材１２の突出部を囲む筒状部及び端面部のそれぞれに通気口１５Ａ、１５Ｂを備え、香料含浸部材１２を通気口１５Ａ、１５Ｂ経由で前述の通気領域Ａに臨ませる。キャップ１５は筒状部の外周の周方向複数位置に羽根１６を備える（図６）。
【００１３】
芳香装置１０は、トイレットペーパー２１の引き出しに伴なう紙管２２の回転に連れ回って回転する容器１１の内部における香料Ｌの液面の変動により、香料Ｌを香料含浸部材１２に含浸させる。香料含浸部材１２に含浸した香料Ｌは、容器１１の外部に突出している部分に導かれた後、キャップ１５の通気口１５Ａ、１５Ｂを通り、紙管２２の中空部からトイレ室に連なる通気領域Ａに揮散する。容器１１の回転によりキャップ１５の羽根１６も回転し、羽根１６は紙管２２の中空部の通気領域Ａに風の流れを引き起こし、通気領域Ａに揮散した香料Ｌをトイレ室の側に送り出し、放散させる。
【００１４】
芳香装置１０は、容器１１の一端側にのみ香料含浸部材１２を突出させているが、容器１１の外周と紙管２２の内周との間には適度な隙間が形成され、通気領域Ａに揮散した香料Ｌが紙管２２の両側からトイレ室の側に放散できる。芳香装置１０は、容器１１の両端側に香料含浸部材１２を突出させ、容器１１の両端側に羽根付キャップ１５を備えても良い。
【００１５】
本実施形態によれば以下の作用効果がある。
▲１▼トイレットペーパー２１の使用時に、トイレットペーパー２１の引き出しによって紙管２２が回転すると、この紙管２２の回転に連れ回る筒体状容器１１の内部で香料Ｌが飛びはね、この飛び跳ねた香料Ｌが容器１１の回転中心部の香料含浸部材１２に含浸する。香料含浸部材１２に含浸した香料Ｌは、容器１１の外部の通気領域Ａに導かれて揮散し、トイレ室に芳香を放散する。
【００１６】
トイレットペーパー２１の非使用時には、容器１１は静止していて香料は水平な定常液面を保ち、容器１１の回転中心部の香料含浸部材１２に含浸することがなく、香料は香料含浸部材１２を介して容器１１の外部に積極的に揮散することがない。
【００１７】
従って、香料Ｌの揮散を必要としないトイレットペーパー２１の非使用時には無駄な揮散を抑制し、香料Ｌの揮散を必要とするトイレットペーパー２１の使用時には強い香りを出すことができる。
【００１８】
▲２▼容器１１の内壁に香料掻き上げ部１３（又は１４）を備えることにより、トイレットペーパー２１の使用時に、紙管２２の回転に連れ回る容器１１の掻き上げ部１３が香料Ｌを掻き上げて香料含浸部材１２にふりかけ、香料Ｌを香料含浸部材１２により素早く多量に含浸させることができ、ひいては容器１１の外部に強い香りを出すことができる。
【００１９】
（第２実施形態）（図７）
芳香装置３０は、ハウジング３１の内部に電動モータ３２を縦置き配置し、電動モータ３２の鉛直方向に沿う回転軸３３に設けた回転部３４に容器３５を嵌合等にて取着し、ハウジング３１における電動モータ３２と容器３５との間に仕切り板３６を設け、ハウジング３１における容器３５の周囲にカバー３７を着脱可能に備える。
【００２０】
電動モータ３２は制御回路３８、電池３９を付帯的に備え、スイッチ（不図示）によりオン／オフされる。
【００２１】
容器３５はカップ状をなし、その回転中心軸を鉛直配置する状態で鉛直状回転部３４に取着される。容器３５の上部開口面には蓋を構成する香料含浸部材４０が固定的に被着される。容器３５の蓋の一部に香料含浸部材４０を設けるものでも良い。
【００２２】
香料含浸部材４０はフェルト板、不織布板等の板状体からなり、下面を容器３５の内部に臨ませ、上面を容器３５の外部の通気領域Ａに臨ませている。香料含浸部材４０の下面は、容器３５に収容してある液状（ゲル状でも可）香料Ｌの水平定常液面より上位に配置される。
【００２３】
芳香装置３０は、カバー３７の隔壁部３７Ａにより香料含浸部材４０の上面に臨む１次通気室４１、ハウジング３１と仕切り板３６とカバー３７により２次通気室４２を形成している。カバー３７は空気流入口４３、通気口４４を備え、ハウジング３１は香気流出口４５を備える。１次通気室４１、２次通気室４２は外部空間に連なる通気領域Ａを構成する。電動モータ３２の回転軸３３に設けた回転部３４の基部には回転羽根４６が設けられ、羽根４６は２次通気室４２に配置される。
【００２４】
容器３５は底部の側から上部開口面に向かって拡径するテーパカップ状をなし、テーパ状の内壁の周方向複数位置のそれぞれに該内壁の下方側から上方側に渡る凸状リブ等からなる香料掻き上げ部３５Ａを設けることができる。
【００２５】
芳香装置３０は、電動モータ３２のオンに伴なって回転する容器３５の内部で遠心回転力の作用を受ける香料Ｌの液面の変動により、香料Ｌを香料含浸部材４０に含浸させる。香料含浸部材４０に含浸した香料Ｌは、容器３５の外部の１次通気室４１に揮散する。電動モータ３２のオンにより回転羽根４６を回転し、羽根４６は１次通気室４１から２次通気室４２に向かう風の流れを引き起こし、１次通気室４１に揮散した香料Ｌを２次通気室４２から外部空間に送り出し、放散させる。
【００２６】
本実施形態によれば以下の作用効果がある。
▲１▼芳香装置３０の使用時に、電動モータ３２を回転させると、電動モータ３２の回転により回転するカップ状の容器３５の内部の香料に遠心回転力が作用し、香料Ｌの液面が容器３５の外周側でせり上がり、ひいては容器３５の上部の蓋を構成する香料含浸部材４０に含浸する。香料含浸部材４０に含浸した香料Ｌは、容器３５の外部の通気領域Ａに導かれて揮散し、芳香を放散する。
【００２７】
芳香装置３０の非使用時には、容器３５は静止していて、香料Ｌの液面は水平な定常液面を保ち、容器３５の上部の蓋を構成する香料含浸部材４０に含浸することがなく、香料含浸部材４０を介して容器３５の外部に積極的に揮散することがない。
【００２８】
従って、香料Ｌの揮散を必要としない芳香装置３０の非使用時には無駄な揮散を抑制し、香料Ｌの揮散を必要とする芳香装置３０の使用時には強い香りを出すことができる。
【００２９】
▲２▼容器３５の内壁に香料掻き上げ部３５Ａを備えることにより、芳香装置３０の使用時に、電動モータ３２の回転により回転する容器３５の掻き上げ部３５Ａの香料Ｌを積極的に回転させ、香料Ｌに大きな遠心回転力を作用させ、香料Ｌの液面を容器３５の外周側で大きくせり上げる。これにより、香料Ｌを香料含浸部材４０により素早く多量に含浸させることができ、ひいては容器３５の外部に強い香りを出すことができる。
【００３０】
【発明の効果】
本発明によれば、香料の無駄な揮散を抑制し、必要なときに強い香りを出すことができる。
【図面の簡単な説明】
【図１】図１は第１実施形態の芳香装置が適用されるトイレットペーパーホルダを示す斜視図である。
【図２】図２は図１の要部断面図である。
【図３】図３は容器を示す断面図である。
【図４】図４は図３のＩＶ−ＩＶ線に沿う断面図である。
【図５】図５は図４の変形例を示す断面図である。
【図６】図６は図３のＶＩ−ＶＩ線に沿う断面図である。
【図７】図７は第２実施形態の芳香装置を示し、（Ａ）は断面図、（Ｂ）は半側面図である。
【符号の説明】
１０  芳香装置
１１  容器
１２  香料含浸部材
１３、１４  香料掻き上げ部
２１  トイレットペーパー
２２  紙管（回転部）
３０  芳香装置
３２  電動モータ
３３  回転軸
３４  回転部
３５  容器
３５Ａ  香料掻き上げ部
４０  香料含浸部材
【図１】
2004230077.tif 000003
【図２】
2004230077.tif 000004
【図３】
2004230077.tif 000005
【図４】
2004230077.tif 000006
【図５】
2004230077.tif 000007
【図６】
2004230077.tif 000008
【図７】
2004230077.tif 000009